(57)【要約】【課題】複数のユニット本体の上下端同士と前後両端同士及び左右両端同士とを同時に連結可能にして強固な連結強度を得ることで、剛性を向上させることができる愛玩動物用構造体を提供する。【解決手段】同一の矩形枠状となる４つの矩形枠体２１の端部同士を連結して周壁が形成される第１、第２及び主ユニット本体１１〜１３を複数備える。各ユニット本体１１〜１３を、各矩形枠体２１を平面視で正方形状を呈する枠体となるように周方向で互いに相隣なる各矩形枠体２１のうちの一方の周方向端と他方の周方向端の内側面とを周方向で交互に連結して構成する。各ユニット本体１１〜１３の上下の枠部分１４における上下両端面の四隅付近にダボを挿通するダボ穴３４を凹設し、各矩形枠体２１の四隅付近にボルト部材及び袋ナットを挿通する貫通孔を設ける。各ユニット本体１１〜１３を、ダボ並びにボルト部材及び袋ナットにより上下左右に連結する。【選択図】図１
2019135965.tif 000002
【特許請求の範囲】
【請求項１】
同一の矩形枠状となる４つの矩形枠体の端部同士を連結して周壁が形成されるユニット本体を複数備え、
前記各ユニット本体は、前記各矩形枠体を平面視で正方形状を呈する枠体となるように周方向で互いに相隣なる各矩形枠体のうちの一方の周方向端と他方の周方向端の内側面とを周方向で交互に連結して構成されており、
前記各ユニット本体の各矩形枠体により囲まれた上下の枠部分における上下両端面の四隅付近には、ダボを挿通するダボ穴がそれぞれ凹設されているとともに、
前記各矩形枠体の四隅付近には、締結具を挿通する貫通孔がそれぞれ設けられており、
前記各ユニット本体は、前記ダボ及び前記締結具の少なくとも一方により連結されていることを特徴とする愛玩動物用構造体。
【請求項２】
前記各矩形枠体は、その幅方向両端を上下方向へ延びる一対の支柱と、各支柱の上下両端をそれぞれ連結する一対の連結板とを備え、
前記各矩形枠体の連結板同士が互いに向き合う内側面には、その周方向へ連続する溝が凹設され、
前記各溝には、愛玩動物が通過可能な孔部を有する通過可能棚板及び愛玩動物が通過不可な通過不可棚板の周縁が挿通可能とされている請求項１に記載の愛玩動物用構造体。
【請求項３】
前記各矩形枠体の各支柱及び各連結板の互いに向き合う内側面には、その周方向へ連続する溝が凹設され、
前記各溝には、愛玩動物が通過不可な通過不可蓋板及び愛玩動物が通過可能な孔部を有する通過可能蓋板の周縁が挿通可能とされている請求項１又は請求項２に記載の愛玩動物用構造体。
【請求項４】
前記各矩形枠体の各支柱及び各連結板の互いに向き合う内側部分には、愛玩動物が通過不可な扉無し柵部材又は愛玩動物の通過を開放時に許容する開閉可能な扉を有する扉付き柵部材が設けられている請求項１又は請求項２に記載の愛玩動物用構造体。
【発明の詳細な説明】
【技術分野】
【０００１】
本発明は、猫等の愛玩動物の好みに応じて組み換え可能な愛玩動物用構造体に関する。
【背景技術】
【０００２】
近年より、ペットとしての猫などの愛玩動物の普及が急増し、家庭の屋内空間での愛玩動物の運動不足や本能に応える上で、段ボールからなる四角筒状のユニット本体を複数備え、愛玩動物の好みに応じて組み換えられるようにした愛玩動物用構造体は知られている（特許文献１参照）。
【０００３】
この場合、愛玩動物用構造体は、複数のユニット本体の上下端同士を被覆する枠状の箱状連結体によって上下に連結して構成されている。このとき、各ユニット本体の上下端同士を被覆する際には、枠状の箱状連結体を縦方向に使用することによって、各ユニット本体同士を上下に連結している。また、各ユニット本体の前後両端同士又は左右両端同士を箱状連結体によって横向きに被覆するように横方向に使用することで、前後又は左右にも連結可能とされている。
【先行技術文献】
【特許文献】
【０００４】
【特許文献１】実用新案登録第３２０８２１１号公報
【発明の概要】
【発明が解決しようとする課題】
【０００５】
ところが、前記従来のものでは、ユニット本体同士を連結する際に枠状の箱状連結体が必要となるため、各ユニット本体の上下端同士が枠状の箱状連結体によって先に被覆されていると、当該各ユニット本体の前後両端同士又は左右両端同士をあとから箱状連結体によって被覆することができない。そのため、複数のユニット本体の上下端同士と前後両端同士又は左右両端同士とはいずれか一方のみとしか箱状連結体によって連結することができず、箱状連結体によって被覆されていないユニット本体同士の連結強度が得られないために愛玩動物用構造体としての剛性が著しく低下することになる。
【０００６】
本発明は、かかる点に鑑みてなされたものであり、その目的とするところは、複数のユニット本体の上下端同士と前後両端同士及び左右両端同士とを同時に連結可能にして強固な連結強度を得ることで、剛性を向上させることができる愛玩動物用構造体を提供することにある。
【課題を解決するための手段】
【０００７】
前記目的を達成するため、本発明では、愛玩動物用構造体として、同一の矩形枠状となる４つの矩形枠体の端部同士を連結して周壁が形成されるユニット本体を複数備え、前記各ユニット本体を、前記各矩形枠体を平面視で正方形状を呈する枠体となるように周方向で互いに相隣なる各矩形枠体のうちの一方の周方向端と他方の周方向端の内側面とを周方向で交互に連結して構成する。更に、前記各ユニット本体の各矩形枠体により囲まれた上下の枠部分における上下両端面の四隅付近に、ダボを挿通するダボ穴をそれぞれ凹設するとともに、前記各矩形枠体の四隅付近に、締結具を挿通する貫通孔をそれぞれ設ける。そして、前記各ユニット本体を、前記ダボ及び前記締結具の少なくとも一方により連結することを特徴としている。
【０００８】
また、前記各ユニット本体に、上下方向へ延びる一対の支柱と、各支柱の上下両端をそれぞれ連結する連結板とを備え、前記各連結板の互いに向き合う内側面に、その周方向へ連続する溝を凹設する。そして、前記各溝に、愛玩動物が通過可能な孔部を有する孔部付き棚板及び愛玩動物が通過不可な棚板の周縁を挿通していてもよい。
【０００９】
また、前記各ユニット本体の各支柱及び各連結板の互いに向き合う内側面に、その周方向へ連続する溝を凹設し、前記各溝に、愛玩動物が通過不可な蓋板及び愛玩動物が通過可能な孔部を有する孔部付き蓋板の周縁を挿通していてもよい。
【００１０】
更に、前記各ユニット本体の各支柱及び各連結板の互いに向き合う内側部分に、愛玩動物が通過不可な扉無し柵部材又は愛玩動物の通過を開放時に許容する開閉可能な扉を有する扉付き柵部材を設けていてもよい。
【発明の効果】
【００１１】
以上、要するに、複数のユニット本体の各矩形枠体により囲まれた上下の枠部分における上下両端面の四隅付近にダボを挿通するダボ穴をそれぞれ凹設するとともに、各矩形枠体の四隅付近に、締結具を挿通する貫通孔をそれぞれ設け、各ユニット本体をダボ及び締結具の少なくとも一方により連結することで、複数のユニット本体の上下端同士と前後両端同士及び左右両端同士との連結を同時にかつ確実に行え、各ユニット本体同士の連結強度が強固となって愛玩動物用構造体としての剛性を向上させることができる。
【００１２】
また、各ユニット本体の各連結板の互いに向き合う内側面において周方向へ連続する溝に、愛玩動物が通過可能な孔部を有する孔部付き棚板及び愛玩動物が通過不可な棚板の周縁を挿通することで、各ユニット本体に対して上下方向への愛玩動物の通過可能又は通過不可なアレンジを簡単に行うことができる。
【００１３】
また、各ユニット本体の各支柱及び各連結板の互いに向き合う内側面において周方向へ連続する溝に、愛玩動物が通過不可な蓋板及び愛玩動物が通過可能な孔部を有する孔部付き蓋板の周縁を挿通することで、各ユニット本体に対して左右方向又は前後方向への愛玩動物の通過可能又は通過不可なアレンジを簡単に行うことができる。
【００１４】
更に、各ユニット本体の各支柱及び各連結板の互いに向き合う内側部分に、愛玩動物が通過不可な扉無し柵部材又は愛玩動物の通過を開放時に許容する開閉可能な扉を有する扉付き柵部材を設けることで、愛玩動物用構造体内での愛玩動物の所作を見通すことができる上、愛玩動物用構造体に対する愛玩動物の出し入れも扉を介して簡単に行うことができる。
【図面の簡単な説明】
【００１５】
【図１】本発明の第１の実施の形態に係る愛玩動物用構造体を斜め前方から見た斜視図である。
【図２】図１の愛玩動物用構造体の主ユニット本体の１つの矩形枠体を各支柱及び各連結板に分解した状態で内方側から見た背面図である。
【図３】図２の矩形枠体を各支柱及び各連結板に分解した状態で外方側から見た斜視図である。
【図４】図１の主ユニット本体の正面図である。
【図５】図４の主ユニット本体の４つの矩形枠体をそれぞれ各支柱及び各連結板に全て分解した状態を示す分解斜視図である。
【図６】図５の主ユニット本体の１つの矩形枠体から上側の枠部分を取り外した状態を示す平面図である。
【図７】図１の愛玩動物用構造体の第１及び第２ユニット本体の１つの矩形枠体を各支柱及び各連結板に分解した状態で内方側から見た背面図である。
【図８】図５の主ユニット本体を組み立てた状態を示す斜視図である。
【図９】図８の主ユニット本体の各矩形枠体の上下の連結板の各溝に通過不可棚板の周縁を挿通した状態を示す斜視図である。
【図１０】図９の主ユニット本体を上方から見た平面図である。
【図１１】図７の第１及び第２ユニット本体の各矩形枠体を組み付けた状態を示す斜視図である。
【図１２】図１１の第１及び第２ユニット本体の正面図である。
【図１３】図９の主ユニット本体に対し第２ユニット本体を連結する締結具の分解斜視図である。
【図１４】図１１の第２ユニット本体の各矩形枠体の上下の連結板の各溝に通過不可棚板の周縁を挿通した状態を示す斜視図である。
【図１５】図７の第２ユニット本体の矩形枠体の各溝に通過不可棚板の周縁を挿通した状態を示す正面図である。
【図１６】図７の第１ユニット本体の矩形枠体の各溝に通過可能棚板の周縁を挿通した状態を示す正面図である。
【図１７】図１の愛玩動物用構造体の上側に位置する第１ユニット本体の斜視図である。
【図１８】図１７の第１ユニット本体の下側に連結される第２ユニット本体の斜視図である。
【図１９】図１の愛玩動物用構造体の第１及び第２ユニット本体を上下に連結するダボの分解斜視図である。
【図２０】本発明の第２の実施の形態に係る愛玩動物用構造体を斜め前方から見た斜視図である。
【図２１】図２０の愛玩動物用構造体の第４ユニット本体の１つの矩形枠体の斜視図である。
【図２２】図２１の１つの矩形枠体の正面図である。
【図２３】図２０の愛玩動物用構造体の第３ユニット本体の１つの矩形枠体の斜視図である。
【図２４】図２３の１つの矩形枠体の正面図である。
【図２５】図２０の第３ユニット本体の１つの矩形枠体の扉を開放した状態を示す斜視図である。
【図２６】図２０の愛玩動物用構造体の第３及び第４ユニット本体を上下に連結するダボの分解斜視図である。
【図２７】第２の実施の形態の変形例に係る愛玩動物用構造体の第３及び第４ユニット本体を上下に連結するダボの分解斜視図である。
【図２８】第２の実施の形態のその他の変形例に係る愛玩動物用構造体を斜め前方から見た斜視図である。
【図２９】本発明の第３の実施の形態に係る愛玩動物用構造体を斜め前方から見た斜視図である。
【図３０】本発明の第４の実施の形態に係る愛玩動物用構造体を斜め前方から見た斜視図である。
【図３１】本発明の第５の実施の形態に係る愛玩動物用構造体を斜め前方から見た斜視図である。
【図３２】本発明の第６の実施の形態に係る愛玩動物用構造体を斜め前方から見た斜視図である。
【発明を実施するための形態】
【００１６】
以下、本発明の実施の形態を添付した図面により詳細に説明する。
【００１７】
先ず、図１は本発明の第１の実施の形態に係る愛玩動物用構造体を斜め前方から見た斜視図を示している。この図１において符号１Ａで示す愛玩動物用構造体は、飼い猫用のものであって、飼い猫の好みに応じて組み換えられるように構成されている。この愛玩動物用構造体１Ａは、第１ユニット本体１１と、第２ユニット本体１２と、主ユニット本体１３とを備えている。
【００１８】
図２は図１の愛玩動物用構造体１Ａの第１ユニット本体１１の１つの矩形枠体を各支柱及び各連結板に分解した状態で内方側から見た背面図、図３は図２の矩形枠体を各支柱及び各連結板に分解した状態で外方側から見た斜視図をそれぞれ示している。図４は図１の主ユニット本体１３の正面図、図５は図４の主ユニット本体１３の４つの矩形枠体をそれぞれ各支柱及び各連結板に全て分解した状態を示す分解斜視図をそれぞれ示している。
【００１９】
図２〜図５に示すように、主ユニット本体１３は、同一の矩形枠状となる４つの矩形枠体２１，２１，…の端部同士を連結して周壁が形成されてなる。つまり、主ユニット本体１３は、各矩形枠体２１を平面視で正方形状を呈する枠体となるように周方向で互いに相隣なる各矩形枠体２１のうちの一方の周方向端と他方の周方向端の内側面とを周方向で交互に連結して構成されている。
【００２０】
図６は図５の主ユニット本体１３の１つの矩形枠体２１から上側の枠部分を取り外した状態を示す平面図、図７は図１の愛玩動物用構造体１Ａの第１及び第２ユニット本体１１，１２の１つの矩形枠体２１を各支柱及び各連結板に分解した状態で内方側から見た背面図をそれぞれ示している。図６及び図７にも示すように、各ユニット本体１１〜１３の各矩形枠体２１は、当該各矩形枠体２１の幅方向両端（図２では左右方向両端）を上下方向へ延びる一対の第１及び第２支柱２２，２３と、各支柱２２，２３の上下両端同士を連結する上下一対の連結板２４，２４とを備えている。
【００２１】
各支柱２２，２３の上下両端には、それぞれほぞ２５が突設されている一方、上下の連結板２４，２４同士が互いに向き合う対向面の両端部には、それぞれほぞ穴２６，２６が凹設されている。そして、各矩形枠体２１は、各支柱２２，２３の上下両端のほぞ２５，２５が各連結板２４の対向面の両端部のほぞ穴２６，２６に嵌挿されて、それぞれ略矩形枠状に形成されている。各支柱２２，２３は、幅方向の寸法に大小差を存し、幅方向寸法が大きい方が第１支柱２２とされ、幅方向寸法が小さい方が第２支柱２３とされている。各支柱２２，２３及び各連結板２４は、それぞれ椋材により形成されている。
【００２２】
各矩形枠体２１の第１支柱２２の反第２支柱２３側（図２及び図４では左側）の上下両端には、それぞれ表面側にザグリ加工されて裏面側へ貫通する貫通孔２７，２７が設けられている。そして、周方向で互いに相隣なる矩形枠体２１，２１同士は、一方の矩形枠体２１の第１支柱２２の上下両端の貫通孔２７，２７よりそれぞれ挿通されたネジ部材２８が他方の矩形枠体２１の第２支柱２３の上下両端に対しその幅方向端よりねじ込まれて強固に連結され、これによって平面視で正方形状を呈する枠体形状の各ユニット本体１１〜１３を構成している。
【００２３】
図８は図５の主ユニット本体１３を組み立てた状態を示す斜視図、図９は図８の主ユニット本体１３の各矩形枠体２１の上下の連結板２４，２４の各溝に通過不可棚板の周縁を挿通した状態を示す斜視図、図１０は図９の主ユニット本体１３を上方から見た平面図をそれぞれ示している。
【００２４】
図８〜図１０にも示すように、各ユニット本体１１〜１３の上下の連結板２４，２４によりそれぞれ囲まれた上下の内側面、つまり水平方向で互いに対向する連結板２４，２４同士の対向面（上下の連結板２４，２４の水平方向で互いに対面する内側面）には、それぞれ長手方向へ延びる溝３１，３１，…が凹設され、これらの溝３１，３１，…がそれぞれ連続して周回状をなしている。そして、主ユニット本体１３の各溝３１には、飼い猫が通過可能な孔部を備えずに飼い猫の乗り降りが可能な略正方形状の通過不可棚板３２の周縁が挿通されている。この通過不可棚板３２は、ＭＤＦ（中密度繊維板）により形成されている。
【００２５】
図１１は図７の第１及び第２ユニット本体１１，１２の各矩形枠体２１を組み付けた状態を示す斜視図、図１２は図１１の第１及び第２ユニット本体１１，１２の正面図をそれぞれ示している。図１１〜図１３にも示すように、各ユニット本体１１〜１３の上下の枠部分１４，１４の上下両端面における四隅付近、つまり各矩形枠体２１の上下の連結板２４，２４の外方側端面における前後両端部には、後述するダボ３３の長さ方向略半分が挿通されるダボ穴３４，３４がそれぞれ凹設されている。
【００２６】
図１３は図９の主ユニット本体１３に対し第２ユニット本体１２を連結する締結具の分解斜視図を示している。この図１３にも示すように、各ユニット本体１１〜１３の各矩形枠体２１の四隅付近、つまり各矩形枠体２１の各支柱２２，２３の上下両端部には、それぞれ締結具としてのボルト部材３５及び袋ナット３６が挿通されるように裏面側にザグリ加工されて表面側へ貫通する貫通孔３７，３８が設けられている。
【００２７】
そして、互いに相隣なる第２ユニット本体１２及び主ユニット本体１３同士は、一方の各ユニット本体１２（又は１３）の第１支柱２２の上下両端の貫通孔３７，３７よりそれぞれ挿通された袋ナット３６に対し他方の各ユニット本体１３（又は１２）の第２支柱２３の上下両端の貫通孔３８，３８よりそれぞれ挿通されたボルト部材３５が螺合して強固に締結されている。この場合、各ユニット本体１１〜１３の第１支柱２２の各貫通孔３７は、袋ナット３６が挿通される関係上、第２支柱２３の各貫通孔３８よりも若干大径に形成されている。
【００２８】
図１４は図１１の第２ユニット本体１２の各矩形枠体２１の上下の連結板２４，２４の各溝３１に通過不可棚板３２の周縁を挿通した状態を示す斜視図、図１５は図７の第２ユニット本体１２の矩形枠体２１の各溝３１に通過不可棚板３２の周縁を挿通した状態を示す正面図、図１６は図７の第１ユニット本体１１の矩形枠体２１の各溝３１に通過可能棚板の周縁を挿通した状態を示す正面図をそれぞれ示している。
【００２９】
図１４〜図１６にも示すように、第１及び第２ユニット本体１１，１２の各矩形枠体２１の内側面、つまり第１及び第２支柱２２，２３並びに上下の連結板２４，２４の互いに対向する内側面には、それぞれ長手方向へ延びる溝４１，４１，…が凹設され、これらの溝４１，４１，…がそれぞれ連続して周回状をなしている。そして、第１及び第２ユニット本体１１，１２の各矩形枠体２１の各溝４１には、飼い猫が通過可能な略真円形状の孔部４０を中心部に備えた略正方形状の通過可能蓋板４２又は飼い猫が通過可能な孔部を備えないために飼い猫の通過不可な略正方形状の通過不可蓋板４３の周縁が挿通されている。この通過可能蓋板４２及び通過不可蓋板４３も、ＭＤＦ（中密度繊維板）により形成されている。
【００３０】
図１７は図１の愛玩動物用構造体１Ａの上側に位置する第１ユニット本体１１の斜視図、図１８は図１７の第１ユニット本体１１の下側に連結される第２ユニット本体１２の斜視図、図１９は図１の愛玩動物用構造体１Ａの第１及び第２ユニット本体１１，１２を上下に連結するダボ３３の分解斜視図をそれぞれ示している。この図１７〜図１９に示すように、第１及び第２ユニット本体１１，１２の上側の枠部分１４の各溝３１には、飼い猫が通過可能な略真円形状の孔部３０を中心部に備えた略正方形状の通過可能棚板３９の周縁が挿通されている。この通過可能棚板３９も、ＭＤＦ（中密度繊維板）により形成されている。
【００３１】
また、第１ユニット本体１１の下側の枠部分１４の各溝３１には、通過不可棚板３２又は通過可能棚板３９の周縁が挿通されてはおらず、第２ユニット本体１２側（下方）へ開口している。各主ユニット本体１３と段差状となる第１ユニット本体１１の２つの矩形枠体２１，２１の各溝４１には、それぞれ通過可能蓋板４２の周縁が挿通され、各主ユニット本体１３の上側の枠部分１４の通過不可棚板３２に乗った飼い猫が第１ユニット本体１１内に通過可能蓋板４２の孔部４０を介して侵入できるようになっている。一方、第１ユニット本体１１の残る２つの矩形枠体２１，２１の各溝４１には、通過不可蓋板４３の周縁が挿通されている。
【００３２】
更に、第２ユニット本体１２の下側の枠部分１４の各溝３１には、通過不可棚板３２の周縁が挿通されている。各主ユニット本体１３のうちの１つの主ユニット本体１３（図１９では左側）と連結された第２ユニット本体１２の１つの矩形枠体２１の各溝４１には、通過可能蓋板４２の周縁が挿通され、当該主ユニット本体１３の下側の枠部分１４の通過不可棚板３２に乗った飼い猫が第２ユニット本体１２内に通過可能蓋板４２の孔部４０を介して侵入できるようになっている。一方、第１ユニット本体１１の残る３つの矩形枠体２１，２１，２１の各溝４１には、それぞれ通過不可蓋板４３の周縁が挿通されている。
【００３３】
第１及び第２ユニット本体１１，１２は、当該各ユニット本体１１，１２の互いに対面する上下の枠部分１４，１４同士を下側の第２ユニット本体１２の上側の枠部分１４の四隅付近のダボ穴３４，３４，…に下側略半分がそれぞれ挿通されたダボ３３に対し、上側の第１ユニット本体１１の下側の枠部分１４の四隅付近のダボ穴３４，３４，…を挿通させることで上下に連結されている。
【００３４】
したがって、本実施の形態では、複数の各ユニット本体１１〜１３は、下側の第２ユニット本体１２の上側の枠部分１４の各ダボ穴３４にそれぞれ挿通されたダボ３３に対し上側の第１ユニット本体１１の下側の枠部分１４の各ダボ穴３４を挿通させることで第１ユニット本体１１と第２ユニット本体１２とが上下に連結されているとともに、互いに相隣なる第２ユニット本体１２及び主ユニット本体１３同士が、一方の各ユニット本体１２（又は１３）の第１支柱２２の上下両端の貫通孔３７，３７よりそれぞれ挿通された袋ナット３６に対し他方の各ユニット本体１３（又は１２）の第２支柱２２の上下両端の貫通孔３８，３８よりそれぞれ挿通されたボルト部材３５が螺合して強固に締結されている。これにより、第１及び第２ユニット本体１１，１２との上下方向からの連結と、第２ユニット本体１２に対する２方向からの２つの主ユニット本体１３，１３との前後方向及び左右方向からの連結とを同時にかつ確実に行え、４つの各ユニット本体１１〜１３同士の連結強度が強固となって愛玩動物用構造体１Ａとしての剛性を向上させることができる。
【００３５】
また、各ユニット本体１１〜１３の各矩形枠体２１の各連結板２４同士が互いに向き合う内側面において周方向へ連続する各溝３１に、飼い猫が通過可能な孔部３０を有する通過可能棚板３９及び飼い猫が通過不可な通過不可棚板３２の周縁が挿通されているので、各ユニット本体１１〜１３に対して上下方向への飼い猫の通過可能又は通過不可なアレンジを簡単に行うことができる。
【００３６】
また、各ユニット本体１１〜１３の各支柱２２，２３及び各連結板２４の互いに向き合う内側面において周方向へ連続する各溝４１に、飼い猫が通過不可な通過不可蓋板４３及び飼い猫が通過可能な孔部４０を有する通過可能蓋板４２の周縁が挿通されているので、各ユニット本体１１〜１３に対して左右方向又は前後方向への飼い猫の通過可能又は通過不可なアレンジを簡単に行うことができる。
【００３７】
次に、本発明の第２の実施の形態を図２０〜図２６に基づいて説明する。
【００３８】
この実施の形態では、愛玩動物用構造体の構成を変更している。なお、愛玩動物用構造体を構成する個々のユニット本体の各矩形枠体の構成は、前記第１の実施の形態と同じであり、同一部分については同じ符号を付してその詳細な説明は省略する。図２０は本発明の第２の実施の形態に係る愛玩動物用構造体を斜め前方から見た斜視図を示している。
【００３９】
すなわち、本実施の形態では、図２０に示すように、愛玩動物用構造体１Ｂは、第３及び第４ユニット本体５１，５２により構成されている。上側に位置する第３ユニット本体５１は、下側に位置する第４ユニット本体５２とは上下に連結されている。第３及び第４ユニット本体５１，５２は、同一の矩形枠状となる４つの矩形枠体２１，２１，…の端部同士を連結して周壁が形成されてなる。つまり、第３及び第４ユニット本体５１，５２は、各矩形枠体２１を平面視で正方形状を呈する枠体となるように周方向で互いに相隣なる各矩形枠体２１のうちの一方の周方向端と他方の周方向端の内側面とを周方向で交互に連結して構成されている。
【００４０】
図２１は図２０の愛玩動物用構造体１Ｂの第４ユニット本体５２の１つの矩形枠体２１の斜視図、図２２は図２１の１つの矩形枠体２１の正面図をそれぞれ示している。また、図２３は図２０の愛玩動物用構造体１Ｂの第３ユニット本体５１の１つの矩形枠体２１の斜視図、図２４は図２３の１つの矩形枠体２１の正面図、図２５は図２０の第３ユニット本体５１の１つの矩形枠体２１の扉を開放した状態を示す斜視図をそれぞれ示している。
【００４１】
図２１及び図２２に示すように、第３及び第４ユニット本体５１，５２の各矩形枠体２１は、第１及び第２支柱２２，２３と上下一対の連結板２４，２４とを備えている。第３及び第４ユニット本体５１，５２の各矩形枠体２１の内側面、つまり第１及び第２支柱２２，２３並びに上下の連結板２４，２４の互いに対向する内側部分には、飼い猫が通過不可な扉無し柵部材５３が設けられている。各扉無し柵部材５３には、それぞれ上下方向へ延びる９本の棒材５８，５８，…が並設されている。
【００４２】
また、図２３〜図２５に示すように、第３ユニット本体５１の各矩形枠体２１のうちの１つの矩形枠体２１の内側面には、中央の開口部５４を開閉可能とする扉５５を備えた扉付き柵部材５６が設けられている。この扉５５には施錠ピン５７が設けられ、施錠ピン５７による施錠解除時に扉５５を開放させて開口部５４を介した飼い猫の通過を許容している。この扉付き柵部材５６にも、開口部５４を回避しつつそれぞれ上下方向へ延びる９本の棒材５８，５８，…が並設されている。
【００４３】
各矩形枠体２１の各柵部材５３，５６は、その幅方向両端及び中央の棒材５８，５８，５８が他の棒材５８よりもそれぞれ上下方向へ延長され、上下に対向する連結板２４，２４の対向面に凹設された挿通孔５９，５９，５９に各延長部分が挿通されて固定されている。
【００４４】
また、第３ユニット本体５１の上側の枠部分１４の各溝３１には、通過不可棚板３２の周縁が挿通されているとともに、当該ユニット本体５１の下側の枠部分１４の各溝３１には、飼い猫が通過可能な略真円形状の孔部３０を中心部から枠部分１４の一方の角部寄りに偏心した位置に備えた略正方形状の通過可能棚板３９の周縁が挿通されている。一方、第４ユニット本体５２の下側の枠部分１４の各溝３１には、通過不可棚板３２の周縁が挿通されているとともに、当該ユニット本体５２の上側の枠部分１４の各溝３１には、通過不可棚板３２又は通過可能棚板３９の周縁が挿通されてはおらず、第３ユニット本体１２側（上方）へ開口している。
【００４５】
第３及び第４ユニット本体５１，５２は、当該各ユニット本体５１，５２の互いに対面する上下の枠部分１４，１４同士を下側の第４ユニット本体５２の上側の枠部分１４の四隅付近のダボ穴３４，３４，…に下側略半分がそれぞれ挿通されたダボ３３に対し、上側の第３ユニット本体５１の下側の枠部分１４の四隅付近のダボ穴３４，３４，…を挿通させることで上下に連結されている。
【００４６】
したがって、本実施の形態では、複数の第３及び第４ユニット本体５１，５２は、下側の第４ユニット本体５２の上側の枠部分１４の各ダボ穴３４にそれぞれ挿通されたダボ３３に対し上側の第３ユニット本体５１の下側の枠部分１４の各ダボ穴３４を挿通させることで第３ユニット本体５１と第４ユニット本体５２とが上下に連結されており、この第３及び第４ユニット本体５１，５２と互いに相隣なる他のユニット本体とが、一方のユニット本体の第１支柱２２の上下両端の貫通孔３７，３７よりそれぞれ挿通された袋ナット３６に対し他方のユニット本体の第２支柱２３の上下両端の貫通孔３８，３８よりそれぞれ挿通されたボルト部材３５が螺合して強固に締結することが可能となっている。これにより、第３ユニット本体５１と第４ユニット本体５２との上下方向からの連結と、第３及び第４ユニット本体５１，５２の少なくとも一方に対する２方向からの２つの他のユニット本体との前後方向及び左右方向からの連結とを同時に行うことが可能となり、第３及び第４ユニット本体５１，５２の少なくとも一方とその他のユニット本体との連結強度が強固となって愛玩動物用構造体１Ｂとしての剛性を向上させることができる。
【００４７】
しかも、第３及び第４ユニット本体５１，５２の各矩形枠体２１の各支柱２２，２３及び各連結板２４の互いに向き合う内側部分に、扉無し柵部材５３又は扉付き柵部材５６が設けられているので、愛玩動物用構造体１Ｂ内での飼い猫の所作を見通すことができる上、愛玩動物用構造体１Ｂに対する飼い猫の出し入れも扉５５を介して簡単に行うことができる。
【００４８】
なお、前記第２の実施の形態では、上側の第３ユニット本体５１の下側の枠部分１４の各溝３１に通過可能棚板３９の周縁を挿通したが、図２７に示すように、愛玩動物用構造体１Ｃの下側の第４ユニット本体５２における上側の枠部分１４の各溝３１に通過可能棚板３９の周縁を挿通し、第３ユニット本体５１の下側の枠部分１４の各溝３１に通過不可棚板３２又は通過可能棚板３９の周縁を挿通せずに第４ユニット本体５２側（上方）へ開口していてもよい。
【００４９】
また、前記第２の実施の形態では、第３ユニット本体５１を第４ユニット本体５２の上に連結したが、図２８に示すように、愛玩動物用構造体１Ｄの２つの第３ユニット本体５１，５１を上下に連結し、上側の第３ユニット本体５１の下側の枠部分１４の各溝３１に通過可能棚板３９の周縁を挿通したりしてもよい。また、上側の第３ユニット本体の下側の枠部分の各溝に通過不可棚板の周縁を挿通したりしてもよく、その場合には、複数の飼い猫の他に異種の愛玩動物をそれぞれ個別に格納しておくことも可能である。
【００５０】
次に、本発明の第３の実施の形態を図２９に基づいて説明する。
【００５１】
この実施の形態では、愛玩動物用構造体の構成を変更している。なお、愛玩動物用構造体を構成する個々のユニット本体の各矩形枠体の構成は、前記第１の実施の形態と同じであり、同一部分については同じ符号を付してその詳細な説明は省略する。図２９は本発明の第３の実施の形態に係る愛玩動物用構造体を斜め前方から見た斜視図を示している。
【００５２】
すなわち、本実施の形態では、図２９に示すように、愛玩動物用構造体１Ｅは、左端で上下に２つ並べた第３ユニット本体５１，５１と、右端で上下に２つ並べた第２及び第４ユニット本体１２，５２とにより構成されている。
【００５３】
左端で上下の各第３ユニット本体５１は、それぞれ右側の矩形枠体２１の内側部分に扉無し柵部材５３又は扉付き柵部材５６が設けられておらず、右側の第４ユニット本体５２側へ開口している。また、この上下の第３ユニット本体５１，５１の上下の両枠部分１４，１４の各溝３１には、通過不可棚板３２の周縁が挿通されている。
【００５４】
一方、右側の第４ユニット本体５２は、その左側の矩形枠体２１の内側部分に扉無し柵部材５３又は扉付き柵部材５６が設けられておらず、左側の第３ユニット本体５１側へ開口している。また、この第４ユニット本体５２の上側の枠部分１４の各溝３１には、通過不可棚板３２の周縁が挿通されているとともに、下側の枠部分１４の各溝３１には、孔部３０を中心部から枠部分１４の一方の角部寄りに偏心した位置に備えた通過可能棚板３９の周縁が挿通されている。
【００５５】
更に、右側の第２ユニット本体１２の左側の矩形枠体２１の各溝４１には、通過可能蓋板４２の周縁が挿通されているとともに、残る３つの矩形枠体２１の各溝４１には、それぞれ通過不可蓋板４３の周縁が挿通されている。また、この第２ユニット本体１２の上側の枠部分１４の各溝３１には、孔部３０を中心部から枠部分１４の一方の角部寄りに偏心した位置に備えた通過可能棚板３９の周縁が挿通されているとともに、下側の枠部分１４の各溝３１には、通過不可棚板３２の周縁が挿通されている。
【００５６】
互いに左右で相隣なる下側の第３ユニット本体５１及び第２ユニット本体１２同士は、一方の各ユニット本体５１（又は１２）の第１支柱２２の上下両端の貫通孔３７，３７よりそれぞれ挿通された袋ナット３６に対し他方の各ユニット本体１２（又は５１）の第２支柱２３の上下両端の貫通孔３８，３８よりそれぞれ挿通されたボルト部材３５が螺合して強固に締結されている。また、互いに左右で相隣なる上側の第３ユニット本体５１及び第４ユニット本体５２同士は、一方の各ユニット本体５１（又は５２）の第１支柱２２の上下両端の貫通孔３７，３７よりそれぞれ挿通された袋ナット３６に対し他方の各ユニット本体５２（又は５１）の第２支柱２３の上下両端の貫通孔３８，３８よりそれぞれ挿通されたボルト部材３５が螺合して強固に締結されている。
【００５７】
互いに上下で相隣なる第３ユニット本体５１，５１同士は、当該各ユニット本体５１の互いに対面する上下の枠部分１４，１４同士を下側の第３ユニット本体５１の上側の枠部分１４の四隅付近のダボ穴３４，３４，…に下側略半分がそれぞれ挿通されたダボ３３に対し、上側の第３ユニット本体５１の下側の枠部分１４の四隅付近のダボ穴３４，３４，…を挿通させることで上下に連結されている。また、互いに上下で相隣なる第４及び第２ユニット本体５２，１２同士は、当該各ユニット本体５２，１２の互いに対面する上下の枠部分１４，１４同士を下側の第２ユニット本体１２の上側の枠部分１４の四隅付近のダボ穴３４，３４，…に下側略半分がそれぞれ挿通されたダボ３３に対し、上側の第４ユニット本体５２の下側の枠部分１４の四隅付近のダボ穴３４，３４，…を挿通させることで上下に連結されている。
【００５８】
したがって、本実施の形態では、第３ユニット本体５１，５１同士の上下方向からの連結と、第４及び第２ユニット本体５２，１２との上下方向からの連結と、第２及び第３ユニット本体１２，５１の左右方向からの連結と、第４及び第２ユニット本体５２，１２との左右方向からの連結とを同時にかつ確実に行え、４つの各ユニット本体１２，５１，５１，５２同士の連結強度が強固となって愛玩動物用構造体１Ｅとしての剛性を向上させることができる。
【００５９】
次に、本発明の第４の実施の形態を図３０に基づいて説明する。
【００６０】
この実施の形態では、愛玩動物用構造体の構成を変更している。なお、愛玩動物用構造体を構成する個々のユニット本体の各矩形枠体の構成は、前記第１の実施の形態と同じであり、同一部分については同じ符号を付してその詳細な説明は省略する。図３０は本発明の第４の実施の形態に係る愛玩動物用構造体を斜め前方から見た斜視図を示している。
【００６１】
すなわち、本実施の形態では、図３０に示すように、愛玩動物用構造体１Ｆは、左端で上下方向に３つ並べた第４、第３及び第２ユニット本体５２，５１，１２と、中央で上下方向に２つ並べた第２及び第３ユニット本体１２，５１と、右側の１つの第４ユニット本体５２とにより階段状に構成されている。
【００６２】
左端で上段の第４ユニット本体５２は、各矩形枠体２１の内側部分に扉無し柵部材５３が設けられ、上側の枠部分１４の各溝３１に通過不可棚板３２の周縁が挿通されているとともに、下側の枠部分１４の各溝３１に通過可能棚板３９の周縁が挿通されている。
【００６３】
左端で中段の第３ユニット本体５１は、各矩形枠体２１のうちの前側及び右側の矩形枠体２１，２１を除く２つの矩形枠体２１の内側部分に扉無し柵部材５３が設けられているとともに、残る前側の矩形枠体２１の内側部分に扉付き柵部材５６が設けられている。左端で中段の第３ユニット本体５１の残る右側の矩形枠体２１は、その内側部分に扉無し柵部材５３又は扉付き柵部材５６が設けられておらず、右側方へ開口している。また、左端で中段の第３ユニット本体５２の上側の枠部分１４は、その各溝３１に通過不可棚板３２又は通過可能棚板３９の周縁が挿通されておらず、上方へ開口している。更に、左端で中段の第３ユニット本体５２における下側の枠部分１４の各溝３１には、通過不可棚板３２の周縁が挿通されている。
【００６４】
左端で下段の第２ユニット本体１２は、各矩形枠体２１のうちの右側の矩形枠体２１を除くその他の各矩形枠体２１の各溝４１に通過不可蓋板４３の周縁がそれぞれ挿通され、残る右側の矩形枠体２１の内側部分に通過可能蓋板４２又は通過不可蓋板４３の周縁が挿通されておらず、右側方へ開口している。また、左端で下段の第２ユニット本体１２における上側の枠部分１４は、その各溝３１に通過不可棚板３２又は通過可能棚板３９の周縁が挿通されておらず、上方へ開口している。更に、左端で下段の第２ユニット本体１２における下側の枠部分１４の各溝３１には、通過不可棚板３２の周縁が挿通されている。
【００６５】
中央で上側の第２ユニット本体１２は、各矩形枠体２１のうちの左右両側の矩形枠体２１，２１の各溝４１にそれぞれ通過可能蓋板４２の周縁が挿通されているとともに、残る２つの矩形枠体２１，２１の各溝４１に通過不可蓋板４３の周縁がそれぞれ挿通されている。また、中央で上側の第２ユニット本体１２における上側の枠部分１４の各溝３１には、通過不可棚板３２の周縁が挿通されているとともに、下側の枠部分１４の各溝３１には、通過可能棚板３９の周縁が挿通されている。
【００６６】
中央で下側の第３ユニット本体５１は、各矩形枠体２１のうちの前側の矩形枠体２１の内側部分に扉付き柵部材５６が設けられているとともに、後側の矩形枠体２１の内側部分に扉無し柵部材５３が設けられている。また、中央で下側の第３ユニット本体５１は、左右の残る矩形枠体２１，２１の内側部分に扉無し柵部材５３又は扉付き柵部材５６が設けられておらず、左右両方向に開口している。更に、中央で下側の第３ユニット本体５１における上側の枠部分１４の各溝３１には、通過可能棚板３９の周縁が挿通されているとともに、下側の枠部分１４の各溝３１には、通過不可棚板３２の周縁が挿通されている。
【００６７】
右側の第４ユニット本体５２は、各矩形枠体２１のうちの左側の矩形枠体２１を除くその他の矩形枠体２１の内側部分にそれぞれ扉無し柵部材５３が設けられている。右側の第４ユニット本体５２の残る左側の矩形枠体２１は、その内側部分に通過可能棚板３９又は通過不可棚板３２が設けられておらず、第３ユニット本体５１側へ開口している。また、右側の第４ユニット本体５２における上下の枠部分１４，１４の各溝３１には、通過不可棚板３２の周縁が挿通されている。
【００６８】
下段において互いに左右で相隣なる第２及び第３ユニット本体１２，５１同士、並びに第３及び第４ユニット本体５１，５２同士は、一方の各ユニット本体５１（又は１２，５２）の第１支柱２２の上下両端の貫通孔３７，３７よりそれぞれ挿通された袋ナット３６に対し他方の各ユニット本体１２，５２（又は５１）の第２支柱２３の上下両端の貫通孔３８，３８よりそれぞれ挿通されたボルト部材３５が螺合して強固に締結されている。
【００６９】
また、中段において互いに左右で相隣なる上側の第３ユニット本体５１及び第２ユニット本体１２同士は、一方の各ユニット本体５１（又は１２）の第１支柱２２の上下両端の貫通孔３７，３７よりそれぞれ挿通された袋ナット３６に対し他方の各ユニット本体１２（又は５１）の第２支柱２３の上下両端の貫通孔３８，３８よりそれぞれ挿通されたボルト部材３５が螺合して強固に締結されている。
【００７０】
左端において互いに上下で相隣なる第４及び第３ユニット本体５２，５１同士、並びに第３及び第２ユニット本体５１，１２同士は、当該各ユニット本体１２，５１，５２の互いに対面する上下の枠部分１４，１４同士を下側の第３又は第２ユニット本体５１，１２の上側の枠部分１４の四隅付近のダボ穴３４，３４，…に下側略半分がそれぞれ挿通されたダボ３３に対し、上側の第４及び第３ユニット本体５２，５１の下側の枠部分１４の四隅付近のダボ穴３４，３４，…を挿通させることでそれぞれ上下に連結されている。また、中央において互いに上下で相隣なる第２及び第４ユニット本体１２，５２同士は、当該各ユニット本体１２，５２の互いに対面する上下の枠部分１４，１４同士を下側の第３ユニット本体５１の上側の枠部分１４の四隅付近のダボ穴３４，３４，…に下側略半分がそれぞれ挿通されたダボ３３に対し、上側の第２ユニット本体１２の下側の枠部分１４の四隅付近のダボ穴３４，３４，…を挿通させることで上下に連結されている。
【００７１】
したがって、本実施の形態では、第４及び第３ユニット本体５２，５１同士の上下方向からの連結と、第３及び第２ユニット本体５１，１２同士の上下方向からの連結と、第２及び第３ユニット本体１２，５１同士の上下方向からの連結と、第３及び第２ユニット本体５１，１２同士の左右方向からの連結と、第２及び第３ユニット本体１２，５１同士の左右方向からの連結と、第３及び第４ユニット本体５１，５２同士の左右方向からの連結とを同時にかつ確実に行え、６つの各ユニット本体１２，５１，５２同士の連結強度が強固となって愛玩動物用構造体１Ｆとしての剛性を向上させることができる。
【００７２】
次に、本発明の第５の実施の形態を図３１に基づいて説明する。
【００７３】
この実施の形態では、愛玩動物用構造体の構成を変更している。なお、愛玩動物用構造体を構成する個々のユニット本体の各矩形枠体の構成は、前記第１の実施の形態と同じであり、同一部分については同じ符号を付してその詳細な説明は省略する。図３１は本発明の第５の実施の形態に係る愛玩動物用構造体を斜め前方から見た斜視図を示している。
【００７４】
すなわち、本実施の形態では、図３１に示すように、愛玩動物用構造体１Ｇは、左端で上下方向に３つ並べた第４、第３及び第２ユニット本体５２，５１，１２と、右端で上下方向に３つ並べた主、第１及び主ユニット本体１３，１１，１３と、右側の上段の１つの第３ユニット本体５１とにより構成されている。
【００７５】
左端で上段の第１ユニット本体１１は、各矩形枠体２１のうちの左側及び後側の矩形枠体２１，２１の各溝４１にそれぞれ通過不可蓋板４３の周縁が挿通されているとともに、前側及び右側の矩形枠体２１，２１の各溝４１にそれぞれ通過可能蓋板４２の周縁が挿通されている。また、左端で上段の第１ユニット本体１１の上側の枠部分１４の各溝３１に通過不可棚板３２の周縁が挿通されているとともに、下側の枠部分１４の各溝３１には通過可能棚板３９の周縁が挿通されている。
【００７６】
左端で中段の第３ユニット本体５１は、各矩形枠体２１のうちの左右両側及び後側の矩形枠体２１，２１，２１の内側部分に扉無し柵部材５３がそれぞれ設けられているとともに、残る前側の矩形枠体２１の内側部分に扉付き柵部材５６が設けられている。また、左端で中段の第３ユニット本体５１における上側の枠部分１４は、その各溝３１に通過可能棚板３９又は通過不可棚板３２の周縁が挿通されておらず、上方へ開口している。更に、左端で中段の第３ユニット本体５１における下側の枠部分１４の各溝３１には、通過可能棚板３９の周縁が挿通されている。
【００７７】
左端で下段の第２ユニット本体１２は、各矩形枠体２１のうちの左側の矩形枠体２１の各溝４１にのみ扉無し柵部材５３の周囲が挿通され、残る前後両側及び右側の矩形枠体２１，２１，２１はその各溝４１に扉無し柵部材５３又は扉付き柵部材５６の周縁が挿通されておらず、前後両側及び右側にそれぞれ開口している。また、左端で下段の第２ユニット本体１２における上側の枠部分１４は、その各溝３１に通過可能棚板３９又は通過不可棚板３２の周縁が挿通されておらず、上方へ開口している。更に、左端で下段の第２ユニット本体１２における下側の枠部分１４の各溝３１には、通過不可棚板３２の周縁が挿通されている。
【００７８】
右端で上段の主ユニット本体１３は、各矩形枠体２１の各溝４１にそれぞれ通過不可蓋板４３又は通過可能蓋板４２の周縁が挿通されておらず、その全ての方向に開口している。また、右端で上段の主ユニット本体１３の上側の枠部分１４の各溝３１に通過可能棚板３９の周縁が挿通されているとともに、下側の枠部分１４の各溝３１に通過不可棚板３２の周縁が挿通されている。
【００７９】
右端で中段の第１ユニット本体１１は、各矩形枠体２１のうちの前側の矩形枠体２１の各溝４１に通過可能蓋板４２の周縁が挿通されているとともに、残る左右両側及び後側の矩形枠体２１，２１，２１の各溝４１に通過不可蓋板４３の周囲がそれぞれ挿通されている。また、右端で中段の第１ユニット本体１１における上側の枠部分１４は、その各溝３１に通過可能棚板３９又は通過不可棚板３２の周縁が挿通されておらず、上方へ開口している。更に、右端で中段の第１ユニット本体１１における下側の枠部分１４の各溝３１には、通過可能棚板３９の周縁が挿通されている。
【００８０】
右端で下段の主ユニット本体１３における上側の枠部分１４は、その各溝３１に通過可能棚板３９又は通過不可棚板３２の周縁が挿通されておらず、上方へ開口している。更に、右端で中段の第１ユニット本体１１における下側の枠部分１４の各溝３１には、通過可能棚板３９の周縁が挿通されている。
【００８１】
中央で上段の第３ユニット本体５１は、各矩形枠体２１のうちの左右両側の各矩形枠体２１の内側部分に扉無し柵部材５３又は扉付き柵部材５６が設けられておらず、左右両側方に開口している。また、中央で上段の第３ユニット本体５１の残る前後の矩形枠体２１のうちの後側の矩形枠体２１の内側部分には、扉無し柵部材５３が設けられているとともに、前側の矩形枠体２１の内側部分に扉付き柵部材５６が設けられている。更に、中央で上段の第３ユニット本体５１における上下の両枠部分１４，１４の各溝３１には、それぞれ通過不可棚板３２の周縁が挿通されている。
【００８２】
上段において互いに左右で相隣なる第１及び第３ユニット本体１２，５１同士、並びに第３及び主ユニット本体５１，１３同士は、一方の各ユニット本体５１（又は１２，１３）の第１支柱２２の上下両端の貫通孔３７，３７よりそれぞれ挿通された袋ナット３６に対し他方の各ユニット本体１２，１３（又は５１）の第２支柱２３の上下両端の貫通孔３８，３８よりそれぞれ挿通されたボルト部材３５が螺合して強固に締結されている。
【００８３】
また、左端において互いに上下で相隣なる第１及び第３ユニット本体１１，５１同士、並びに第３及び第２ユニット本体５１，１２同士は、当該各ユニット本体１１，１２，５１の互いに対面する上下の枠部分１４，１４同士を下側の第３又は第２ユニット本体５１，１２の上側の枠部分１４の四隅付近のダボ穴３４，３４，…に下側略半分がそれぞれ挿通されたダボ３３に対し、上側の第１及び第３ユニット本体１１，５１の下側の枠部分１４の四隅付近のダボ穴３４，３４，…を挿通させることでそれぞれ上下に連結されている。
【００８４】
更に、右端において互いに上下で相隣なる主及び第１ユニット本体１３，１１同士、並びに第１及び主ユニット本体１１，１３同士は、当該各ユニット本体１１，１３の互いに対面する上下の枠部分１４，１４同士を下側の第１及び主ユニット本体１１，１３の上側の枠部分１４の四隅付近のダボ穴３４，３４，…に下側略半分がそれぞれ挿通されたダボ３３に対し、上側の主及び第１ユニット本体１１の下側の枠部分１４の四隅付近のダボ穴３４，３４，…を挿通させることで上下に連結されている。
【００８５】
したがって、本実施の形態では、第１及び第３ユニット本体１１，５１同士の上下方向からの連結と、第３及び第２ユニット本体５１，１２同士の上下方向からの連結と、主及び第１ユニット本体１３，１１同士の上下方向からの連結と、第１及び主ユニット本体１１，１３同士の上下方向からの連結と、第１及び第３ユニット本体１１，５１同士の左右方向からの連結と、第３及び主ユニット本体５１，１３同士の左右方向からの連結とを同時にかつ確実に行え、７つの各ユニット本体１１，１２，１３，５１同士の連結強度が強固となって愛玩動物用構造体１Ｇとしての剛性を向上させることができる。
【００８６】
次に、本発明の第６の実施の形態を図３２に基づいて説明する。
【００８７】
この実施の形態では、愛玩動物用構造体の構成を変更している。なお、愛玩動物用構造体を構成する個々のユニット本体の各矩形枠体の構成は、前記第１の実施の形態と同じであり、同一部分については同じ符号を付してその詳細な説明は省略する。図３２は本発明の第５の実施の形態に係る愛玩動物用構造体を斜め前方から見た斜視図を示している。
【００８８】
すなわち、本実施の形態では、図３２に示すように、愛玩動物用構造体１Ｈは、左端で上下方向に３つ並べた第４、第４及び第２ユニット本体５２，５２，１２と、中央で上下方向に３つ並べた第１，第３及び主ユニット本体１１，５１，１３と、右端で上下方向に３つ並べた主、第１及び主ユニット本体１３，１１，１３とにより構成されている。
【００８９】
左端で上段の第４ユニット本体５２は、各矩形枠体２１の内側部分にそれぞれ扉無し柵部材５３が設けられ、上下の両枠部分１４，１４の各溝３１にそれぞれ通過可能棚板３９の周縁が挿通されている。
【００９０】
左端で中段の第４ユニット本体５２は、各矩形枠体２１のうちの右側（第２ユニット本体１２側）の矩形枠体２１を除く３つの矩形枠体２１の内側部分に扉無し柵部材５３が設けられ、残る右側の矩形枠体２１の内側部分に扉無し柵部材５３又は扉付き柵部材５６が設けられておらず、右側方へ開口している。また、左端で中段の第４ユニット本体５２の上側の枠部分１４は、その各溝３１に通過不可棚板３２又は通過可能棚板３９の周縁が挿通されておらず、上方へ開口している。更に、左端で中段の第４ユニット本体５２における下側の枠部分１４の各溝３１には、通過不可棚板３２の周縁が挿通されている。
【００９１】
左端で下段の第２ユニット本体１２は、各矩形枠体２１のうちの右側の矩形枠体２１を除くその他の各矩形枠体２１の各溝４１に通過不可蓋板４３の周縁がそれぞれ挿通され、残る右側の矩形枠体２１の内側部分に通過可能蓋板４２又は通過不可蓋板４３の周縁が挿通されておらず、右側方へ開口している。また、左端で下段の第２ユニット本体１２における上側の枠部分１４は、その各溝３１に通過不可棚板３２又は通過可能棚板３９の周縁が挿通されておらず、上方へ開口している。更に、左端で下段の第２ユニット本体１２における下側の枠部分１４の各溝３１には、通過不可棚板３２の周縁が挿通されている。
【００９２】
中央で上段の第１ユニット本体１１は、各矩形枠体２１のうちの右側の矩形枠体２１を除くその他の各矩形枠体２１の各溝４１に通過不可蓋板４３の周縁がそれぞれ挿通され、残る右側の矩形枠体２１の内側部分に通過可能蓋板４２の周縁が挿通されている。中央で上段の第１ユニット本体１１における上側の枠部分１４の各溝３１には通過可能棚板３９の周縁が挿通されているとともに、下側の枠部分１４の各溝３１には通過不可棚板３２の周縁が挿通されている。
【００９３】
中央で中段の第３ユニット本体５１は、各矩形枠体２１のうちの前側及び左側の矩形枠体２１を除く２つの矩形枠体２１の内側部分に扉無し柵部材５３が設けられ、残る前側の矩形枠体２１の内側部分に扉付き柵部材５６が設けられている。また、中央で中段の第３ユニット本体５１は、残る左側の矩形枠体２１の内側部分に扉無し柵部材５３又は扉付き柵部材５６が設けられておらず、左側方へ開口している。中央で中段の第３ユニット本体５１における上下の両枠部分１４，１４の各溝３１には、それぞれ通過可能棚板３９の周縁が挿通されている。
【００９４】
中央で下段の主ユニット本体１３の上側の枠部分１４は、その各溝３１に通過不可棚板３２又は通過可能棚板３９の周縁が挿通されておらず、上方へ開口している。更に、中央で下段の主ユニット本体１３における下側の枠部分１４の各溝３１には、通過不可棚板３２の周縁が挿通されている。
【００９５】
右端で上段の主ユニット本体１３の上下の両枠部分１４，１４は、それぞれの各溝３１に通過不可棚板３２の周縁が挿通されている。右端で中段の第１ユニット本体１１は、各矩形枠体２１のうちの前側の矩形枠体２１の各溝４１に通過可能蓋板４２の周縁が挿通されているとともに、残る左右両側及び後側の矩形枠体２１，２１，２１の各溝４１に通過不可蓋板４３の周囲がそれぞれ挿通されている。また、右端で中段の第１ユニット本体１１における上側の枠部分１４は、その各溝３１に通過可能棚板３９又は通過不可棚板３２の周縁が挿通されておらず、上方へ開口している。更に、右端で中段の第１ユニット本体１１における下側の枠部分１４の各溝３１には、通過可能棚板３９の周縁が挿通されている。
【００９６】
右端で下段の主ユニット本体１３の上側の枠部分１４は、その各溝３１に通過不可棚板３２又は通過可能棚板３９の周縁が挿通されておらず、上方へ開口している。更に、中央で下段の主ユニット本体１３における下側の枠部分１４の各溝３１には、通過不可棚板３２の周縁が挿通されている。
【００９７】
上段において互いに左右で相隣なる第４及び第１ユニット本体５２，１１同士、並びに第１及び主ユニット本体１１，１３同士は、一方の各ユニット本体１１（又は５２，１３）の第１支柱２２の上下両端の貫通孔３７，３７よりそれぞれ挿通された袋ナット３６に対し他方の各ユニット本体５２，１３（又は１１）の第２支柱２３の上下両端の貫通孔３８，３８よりそれぞれ挿通されたボルト部材３５が螺合して強固に締結されている。
【００９８】
中段において互いに左右で相隣なる第４及び第３ユニット本体５２，５１同士、並びに第３及び第１ユニット本体５１，１１同士は、一方の各ユニット本体５１（又は５２，１１）の第１支柱２２の上下両端の貫通孔３７，３７よりそれぞれ挿通された袋ナット３６に対し他方の各ユニット本体５２，１１（又は５１）の第２支柱２３の上下両端の貫通孔３８，３８よりそれぞれ挿通されたボルト部材３５が螺合して強固に締結されている。
【００９９】
下段において互いに左右で相隣なる第２及び主ユニット本体１２，１３同士、並びに主ユニット本体１３，１３同士は、一方の各ユニット本体１３（又は１２，１３）の第１支柱２２の上下両端の貫通孔３７，３７よりそれぞれ挿通された袋ナット３６に対し他方の各ユニット本体１２，１３（又は１３）の第２支柱２３の上下両端の貫通孔３８，３８よりそれぞれ挿通されたボルト部材３５が螺合して強固に締結されている。
【０１００】
また、左端において互いに上下で相隣なる第４ユニット本体５２，５２同士、並びに第４及び第２ユニット本体５２，１２同士は、当該各ユニット本体１２，５２の互いに対面する上下の枠部分１４，１４同士を下側の第４及び第２ユニット本体５２，１２の上側の枠部分１４の四隅付近のダボ穴３４，３４，…に下側略半分がそれぞれ挿通されたダボ３３に対し、上側の第４及び第４ユニット本体５２，５２の下側の枠部分１４の四隅付近のダボ穴３４，３４，…を挿通させることでそれぞれ上下に連結されている。
【０１０１】
中央において互いに上下で相隣なる第１及び第３ユニット本体１１，５１同士、並びに第３及び主ユニット本体５１，１３同士は、当該各ユニット本体１１，１３，５１の互いに対面する上下の枠部分１４，１４同士を下側の第３及び主ユニット本体５１，１３の上側の枠部分１４の四隅付近のダボ穴３４，３４，…に下側略半分がそれぞれ挿通されたダボ３３に対し、上側の第１及び第３ユニット本体１１，５１の下側の枠部分１４の四隅付近のダボ穴３４，３４，…を挿通させることでそれぞれ上下に連結されている。
【０１０２】
右端において互いに上下で相隣なる主及び第１ユニット本体１３，１１同士、並びに第１及び主ユニット本体１１，１３同士は、当該各ユニット本体１１，１３の互いに対面する上下の枠部分１４，１４同士を下側の第３及び主ユニット本体１１，１３の上側の枠部分１４の四隅付近のダボ穴３４，３４，…に下側略半分がそれぞれ挿通されたダボ３３に対し、上側の第１及び主ユニット本体１１，１３の下側の枠部分１４の四隅付近のダボ穴３４，３４，…を挿通させることでそれぞれ上下に連結されている。
【０１０３】
したがって、本実施の形態では、第４ユニット本体５２，５２同士の上下方向からの連結と、第４及び第２ユニット本体５２，１２同士の上下方向からの連結と、第１及び第３ユニット本体１１，１３同士の上下方向からの連結と、第３及び主ユニット本体５１，１３同士の上下方向からの連結と、主及び第１ユニット本体１３，１１同士の上下方向からの連結と、第１及び主ユニット本体１１，１３同士の上下方向からの連結と、第４及び第１ユニット本体５２，１１同士の左右方向からの連結と、第１及び主ユニット本体１１，１３同士の左右方向からの連結と、第４及び第３ユニット本体５２，５１同士の左右方向からの連結と、第３及び第１ユニット本体５１，１１同士の左右方向からの連結と、第２及び主ユニット本体１２，１３同士の左右方向からの連結と、主ユニット本体１３，１３同士の左右方向からの連結とを同時にかつ確実に行え、９つの各ユニット本体１１〜１３，５１，５２同士の連結強度が強固となって愛玩動物用構造体１Ｈとしての剛性を向上させることができる。
【０１０４】
なお、前記各実施の形態では、愛玩動物用構造体１Ａ〜１Ｈを最大９個の各ユニット本体１１〜１３，５１，５２により構成したが、各ユニット本体の組み合わせ及び個数はこれに限定されるものではなく、各ユニット本体の組み合わせ及び個数はどのように変更されていてもよい。更に、各ユニット本体は、左右方向のみならず前後方向に連結されていてもよいのはいうまでもない。
【０１０５】
また、前記各実施の形態では、愛玩動物用構造体１Ａ〜１Ｈを飼い猫のために適用したが、カワウソやハムスターなどのような小型の愛玩動物に適した愛玩動物用構造体であってもよい。
【０１０６】
更に、前記各実施の形態では、上下方向及び左右方向に互いに相隣なるユニット本体１１〜１３，５１，５２がボルト部材３５及び袋ナット３６並びにダボ３３により連結される矩形枠体２１，２１同士又は上下の枠部分１４，１４同士のいずれか一方のみに、通過不可棚板３２、通過可能棚板３９、通過可能蓋板４２、通過不可蓋板４３、又は扉無し柵部材５３を設けたが、互いに相隣なるユニット本体の矩形枠体同士又は上下の枠部分同士の他方にも一方と同じ機能を有する通過不可棚板、通過可能棚板、通過可能蓋部材、通過不可蓋部材、又は扉無し柵部材が設けられていてもよい。その場合には、ユニット本体の配置を変更する際にユニット本体の矩形枠体又は上下の枠部分に同じ機能を有する通過不可棚板、通過可能棚板、通過可能蓋部材、通過不可蓋部材、又は扉無し柵部材を新たに設置する必要がなく、実施する上で非常に有利なものとなる。
【符号の説明】
【０１０７】
１Ａ〜１Ｈ  愛玩動物用構造体
１１        第１ユニット本体
１２        第２ユニット本体
１３        主ユニット本体
１４        枠部分
２１        矩形枠体
２２        第１支柱（支柱）
２３        第２支柱（支柱）
２４        連結板
３０        孔部
３１        溝
３２        通過不可棚板
３３        ダボ
３４        ダボ穴
３５        ボルト部材（締結具）
３６        袋ナット（締結具）
３７，３８  貫通孔
３９        通過可能棚板
４０        孔部
４１        溝
４２        通過可能蓋板
４３        通過不可蓋板
５１        第３ユニット本体
５２        第４ユニット本体
５３        扉無し柵部材
５５        扉
５６        扉付き柵部材
【図１】
2019135965.tif 000003
【図２】
2019135965.tif 000004
【図３】
2019135965.tif 000005
【図４】
2019135965.tif 000006
【図５】
2019135965.tif 000007
【図６】
2019135965.tif 000008
【図７】
2019135965.tif 000009
【図８】
2019135965.tif 000010
【図９】
2019135965.tif 000011
【図１０】
2019135965.tif 000012
【図１１】
2019135965.tif 000013
【図１２】
2019135965.tif 000014
【図１３】
2019135965.tif 000015
【図１４】
2019135965.tif 000016
【図１５】
2019135965.tif 000017
【図１６】
2019135965.tif 000018
【図１７】
2019135965.tif 000019
【図１８】
2019135965.tif 000020
【図１９】
2019135965.tif 000021
【図２０】
2019135965.tif 000022
【図２１】
2019135965.tif 000023
【図２２】
2019135965.tif 000024
【図２３】
2019135965.tif 000025
【図２４】
2019135965.tif 000026
【図２５】
2019135965.tif 000027
【図２６】
2019135965.tif 000028
【図２７】
2019135965.tif 000029
【図２８】
2019135965.tif 000030
【図２９】
2019135965.tif 000031
【図３０】
2019135965.tif 000032
【図３１】
2019135965.tif 000033
【図３２】
2019135965.tif 000034